【手続補正書】
【提出日】平成22年10月1日(2010.10.1)
【手続補正１】
【補正対象書類名】特許請求の範囲
【補正対象項目名】全文
【補正方法】変更
【補正の内容】
【特許請求の範囲】
【請求項１】
電力変換器であって、
前記電力変換器の入力部と出力部との間に連結されたエネルギー伝達素子に連結された
スイッチと、
前記スイッチを制御するために前記スイッチに連結された制御回路と
を含み、前記制御回路が、前記電力変換器の前記出力部に供給される電力を調節するため
の第１と第２のデューティ・サイクル制御モードを有し、前記第１と第２のデューティ・
サイクル制御モードの間の移行が、電流閾値に達する前記スイッチ内を流れる電流の大き
さに応答する電力変換器。
【請求項２】
前記制御回路が、前記電力変換器出力部に供給される前記電力を調節するための第３の
デューティ・サイクル制御モードをさらに有し、前記第２と第３のデューティ・サイクル
制御モードの間の移行が、電流閾値に達する前記スイッチのスイッチング周波数に応答す
る請求項１に記載の電力変換器。
【請求項３】
前記スイッチ内を流れる前記電流の前記電流閾値が前記電力変換器の動作条件に応答し
て変えられる請求項１に記載の電力変換器。
【請求項４】
前記電力変換器の前記動作条件が前記電力変換器への入力電圧の大きさである請求項３に記載の電力変換器。
【請求項５】
前記電力変換器の前記動作条件が前記第１のデューティ・サイクル制御モードにある前
記制御回路のスイッチング周波数である請求項３に記載の電力変換器。
【請求項６】
電力変換器であって、
前記電力変換器の入力部と出力部との間に連結されたエネルギー伝達素子に連結された
スイッチと、
前記スイッチに連結された制御回路と、
前記電力変換器の出力パラメータに応答して制御ループ利得を有するフィードバック信
号を生成するために前記電力変換器の前記出力部と前記制御回路との間に連結された制御
ループと
を含み、前記制御回路が、前記フィードバック信号に応答して、前記電力変換器の前記出
力部に供給される電力を調節するように前記スイッチを切り換えるための第１と第２のデ
ューティ・サイクル制御モードを有し、前記第１と第２のデューティ・サイクル制御モー
ドの間の移行中に前記制御ループ利得が実質的に一定である電力変換器。
【請求項７】
前記制御回路が、前記電力変換器の前記出力部に供給される前記電力を調節するための
第３のデューティ・サイクル制御モードをさらに有し、前記第２と第３のデューティ・サ
イクル制御モードの間の移行中に前記制御ループ利得が実質的に一定である請求項６に
記載の電力変換器。
【請求項８】
電力変換器であって、
前記電力変換器の入力部と出力部との間に連結されたエネルギー伝達素子に連結された
スイッチと、
前記スイッチに連結された制御回路と、
前記電力変換器の出力パラメータに応答して制御ループ利得を有するフィードバック信
号を生成するために前記電力変換器の前記出力部と前記制御回路との間に連結された制御
ループと
を含み、前記制御回路が、前記フィードバック信号に応答して、前記電力変換器の前記出
力部に供給される電力を調節するように前記スイッチを切り換えるための第１と第２のデ
ューティ・サイクル制御モードを有し、前記制御回路が前記第１のデューティ・サイクル
制御モードで動作するときにスイッチのオン時間が前記フィードバック信号の大きさに比
例し、前記制御回路が前記第２のデューティ・サイクル制御モードで動作するときにスイ
ッチング・サイクル時間周期がスイッチのオン時間と前記フィードバック信号の値の比に
比例する電力変換器。
【請求項９】
前記制御回路が、前記電力変換器の前記出力部に供給される前記電力を調節するための
第３のデューティ・サイクル制御モードをさらに有し、前記制御回路が前記第３のデュー
ティ・サイクル制御モードで動作するときに前記スイッチのオン時間が前記フィードバッ
ク信号の前記大きさに比例する請求項８に記載の電力変換器。
【請求項１０】
前記第１のデューティ・サイクル制御モードが電圧モード制御モードである請求項１、６または８に記載の電力変換器。
【請求項１１】
前記第１のデューティ・サイクル制御モードが電流モード制御モードである請求項１、６または８に記載の電力変換器。
【請求項１２】
前記第１のデューティ・サイクル制御モードが準共振型制御モードである請求項１、６または８に記載の電力変換器。
【請求項１３】
前記第１のデューティ・サイクル制御モードが可変オン時間固定オフ時間型の制御モー
ドである請求項１、６または８に記載の電力変換器。
【請求項１４】
前記第２のデューティ・サイクル制御モードが固定電流制限可変スイッチング・サイク
ル時間型の制御モードである請求項１、６または８に記載の電力変換器。
【請求項１５】
前記第３のデューティ・サイクル制御モードが電圧モード制御モードである請求項２、７または９に記載の電力変換器。
【請求項１６】
前記第３のデューティ・サイクル制御モードが電流モード制御モードである請求項２、７または９に記載の電力変換器。
【請求項１７】
前記第３のデューティ・サイクル制御モードが準共振型制御モードである請求項２、７または９に記載の電力変換器。
【請求項１８】
前記第３のデューティ・サイクル制御モードが可変オン時間固定オフ時間型の制御モー
ドである請求項２、７または９に記載の電力変換器。
【請求項１９】
電力変換器の入力部から前記電力変換器の出力部へと供給される電力を調節する方法で
あって、
前記電力変換器の前記入力部と出力部との間に連結されたエネルギー伝達素子に連結さ
れた電力スイッチを切り換えるステップと、
前記電力変換器の前記入力部から前記電力変換器の前記出力部へと供給される前記電力
を調節するためのスイッチに連結された制御回路で前記電力スイッチの前記切り換えるス
テップを制御するステップと、
電源の出力部と前記制御回路との間に連結された制御ループでもって前記制御回路が応
答するフィードバック信号を生成するステップと
を含み、前記フィードバック信号が、前記制御回路に含まれる第１のデューティ・サイク
ル制御モードから前記制御回路に含まれる第２のデューティ・サイクル制御モードへの前
記制御回路の移行中に実質的に一定である制御ループ利得を有する方法。
【請求項２０】
前記制御回路が前記電力変換器の前記入力部から前記電力変換器の前記出力部へと供給
される前記電力を調節するための第３のデューティ・サイクル制御モードをさらに有し、
前記第２と第３のデューティ・サイクル制御モードの間の移行中に前記制御ループ利得が
実質的に一定である請求項１９に記載の方法。
【請求項２１】
前記第１のデューティ・サイクル制御モードが電圧モード制御モードである請求項１９
に記載の方法。
【請求項２２】
前記第１のデューティ・サイクル制御モードが電流モード制御モードである請求項１９
に記載の方法。
【請求項２３】
前記第１のデューティ・サイクル制御モードが準共振型制御モードである請求項１９に
記載の方法。
【請求項２４】
前記第１のデューティ・サイクル制御モードが可変オン時間固定オフ時間型の制御モー
ドである請求項１９に記載の方法。
【請求項２５】
前記第２のデューティ・サイクル制御モードが固定電流制限可変スイッチング・サイク
ル時間型の制御モードである請求項１９に記載の方法。
【請求項２６】
前記第３のデューティ・サイクル制御モードが電圧モード制御モードである請求項２０
に記載の方法。
【請求項２７】
前記第３のデューティ・サイクル制御モードが電流モード制御モードである請求項２０
に記載の方法。
【請求項２８】
前記第３のデューティ・サイクル制御モードが準共振型制御モードである請求項２０に
記載の方法。
【請求項２９】
前記第３のデューティ・サイクル制御モードが可変オン時間固定オフ時間型の制御モー
ドである請求項２０に記載の方法。